(57)【要約】      （修正有）【課題】板厚を大きくすることなく、十分な剛性を確保することができる幕板を備えたキッチンキャビネットを提供する。【解決手段】キッチンキャビネット２を構成しているキャビネット本体１０は、側板１１を上部前面側で連結する戸当り桟１４を備えており、戸当り桟１４には、シンクＳの正面部分を隠蔽する金属製の幕板１６が取り付けられており、幕板１６は、シンクＳの前面部分を隠蔽する正面板１６ａと、正面板１６ａの上端縁から後方に張り出す上端張出片１６ｂと、正面板１６ａの下端縁から後方に張り出す下端張出片１６ｃと、正面板１６ａの両側縁から後方に張り出す一対の側端張出片１６ｄと、正面板１６ａの上部を、両側部を残して、前方に切り起こした中間張出片１６ｅとを備えており、中間張出片１６ｅを戸当り桟１４の下端面に、正面板１６ａの上部を戸当り桟１４の後面にそれぞれ重ね合わせた状態で、戸当り桟１４にねじ止めされている。【選択図】図３
2014230624.tif 000002
【特許請求の範囲】
【請求項１】
天板に取り付けられたシンクを収容するキッチンキャビネットであって、
左右一対の側板を、その上部前面側で連結する桟木と、
前記シンクの前面部分を覆うように、前記桟木に取り付けられた金属製の幕板と
を備え、
前記幕板は、
前記シンクの前面部分を隠蔽する正面板と、
前記正面板の全幅にわたって、その上端縁から前方または後方に張り出す上端張出片と、
前記正面板の全幅にわたって、その下端縁から前方または後方に張り出す下端張出片と、
前記正面板の全高にわたって、その両側縁から前方または後方にそれぞれ張り出す側端張出片と、
前記正面板を、その両側部を残して、前方または後方に切り起こした中間張出片と
を有し、
前記上端張出片、前記中間張出片または前記正面板を前記桟木に固着したことを特徴とするキッチンキャビネット。
【請求項２】
前記桟木は、前記シンクの上端部が進入できるように、後面側の上側角部が切除されている請求項１に記載のキッチンキャビネット。
【発明の詳細な説明】
【技術分野】
【０００１】
この発明は、天板に取り付けられたシンク部分を収容するキッチンキャビネットに関する。
【背景技術】
【０００２】
天板に取り付けたシンク部分を収容するキッチンキャビネットには、内部空間に突出したシンクと一方の側板との間に形成される幅の狭い空間に背の高い物品を収容するようにしたものがあり、図１０に示すように、こういったタイプのキッチンキャビネット５０では、できるだけ背の高い物品（例えば、包丁差しＧ１やキッチンペーパーホルダＧ２等）を収容することができるように、左右の側板５１、５１を上部前面側で連結する桟木５２の高さを可能な限り短くする代わりに、前面扉または引き出しを開けたときにシンクＳの正面部分が見えないように、シンクＳの正面部分を隠蔽する金属製の幕板５３が桟木５２に取り付けられている。
【０００３】
こういった幕板５３は、図１１（ａ）〜（ｃ）に示すように、シンクＳの前面部分を隠蔽する正面板５３ａと、この正面板５３ａの全幅にわたって、その上端縁から後方に張り出す上端張出片５３ｂと、正面板５３ａの全幅にわたって、その下端縁から後方に張り出す下端張出片５３ｃと、正面板５３ａの全高にわたって、その両側縁から後方にそれぞれ張り出す一対の側端張出片５３ｄ、５３ｄとから構成されており、１枚の金属板に切れ目を入れて上端張出片５３ｂ、下端張出片５３ｃ及び一対の側端張出片５３ｄ、５３ｄをそれぞれ後方側に折り曲げることによって形成されている。
【０００４】
このように構成された幕板５３は、図１２（ａ）、（ｂ）及び図１３に示すように、正面板５３ａの上部前面を桟木５２の裏面に重ね合わせてビス止めすることによって、桟木５２に取り付けられており、少なくとも、背の高い物品の収容空間を区画している側板５１には固定されていない。
【先行技術文献】
【特許文献】
【０００５】
【特許文献１】特開昭６０−１７９００９号公報
【発明の概要】
【発明が解決しようとする課題】
【０００６】
ところで、上述した幕板５３は、１枚の金属板に切れ目を入れて上端張出片５３ｂ、下端張出片５３ｃ及び一対の側端張出片５３ｄ、５３ｄをそれぞれ折り曲げることによって形成された横長の扁平部材であり、長手方向の一方の側端張出片５３ｄまたは双方の側端張出片５３ｄ、５３ｄが側板５１に固定されていないので、十分な剛性を確保することができず、正面からの力を受けると変形するおそれがある。
【０００７】
こういった問題を解決するためには、幕板５３を形成している金属板の板厚を厚くすることが考えられるが、材料コストが高くなり、製品価格が上昇するといった新たな問題が発生する。
【０００８】
そこで、この発明の課題は、板厚を大きくすることなく、十分な剛性を確保することができる幕板を備えたキッチンキャビネットを提供することにある。
【課題を解決するための手段】
【０００９】
上記の課題を解決するため、請求項１に係る発明は、天板に取り付けられたシンクを収容するキッチンキャビネットであって、左右一対の側板を、その上部前面側で連結する桟木と、前記シンクの前面部分を覆うように、前記桟木に取り付けられた金属製の幕板とを備え、前記幕板は、前記シンクの前面部分を隠蔽する正面板と、前記正面板の全幅にわたって、その上端縁から前方または後方に張り出す上端張出片と、前記正面板の全幅にわたって、その下端縁から前方または後方に張り出す下端張出片と、前記正面板の全高にわたって、その両側縁から前方または後方にそれぞれ張り出す側端張出片と、前記正面板を、その両側部を残して、前方または後方に切り起こした中間張出片とを有し、前記上端張出片、前記中間張出片または前記正面板を前記桟木に固着したことを特徴とするキッチンキャビネットを適用するものである。
【００１０】
また、請求項２に係る発明は、請求項１に係る発明のキッチンキャビネットにおいて、前記桟木は、前記シンクの上端部が進入できるように、後面側の上側角部が切除されていることを特徴としている。
【発明の効果】
【００１１】
以上のように、請求項１に係る発明のキッチンキャビネットは、幕板を構成している正面板を、その両側部を残して、前方または後方に切り起こした中間張出片を有しているので、従来のキッチンキャビネットに採用されている幕板のように、上端張出片、下端張出片及び側端張出片だけを備えている場合に比べて幕板全体の剛性が大きくなり、正面からの力を受けても変形し難くなる。
【００１２】
また、幕板の剛性が大きくなることに伴い、幕板が固着される桟木の強度も従来に比べて大きくなり、キャビネット全体が変形しにくくなるという効果もある。
【００１３】
また、請求項２に係る発明のキッチンキャビネットのように、シンクの上端部が進入できるように、桟木の後面側の上側角部が切除されている場合は、桟木の強度が低下することになるが、中間張出片を有している、剛性の大きい幕板を固着することにより、桟木の強度低下を補強することができるので、特に、有効である。
【図面の簡単な説明】
【００１４】
【図１】（ａ）はこの発明に係るキッチンキャビネットの一実施形態を組み込んだシステムキッチンを示す平面図、（ｂ）は同上のシステムキッチンを示す正面図、（ｃ）は（ａ）のＸ−Ｘ線に沿った断面図である。
【図２】（ａ）は同上のキッチンキャビネットを構成しているキャビネット本体を示す平面図、（ｂ）は同上のキャビネット本体を示す正面図、（ｃ）は（ｂ）のＸ−Ｘ線に沿った断面図である。
【図３】（ａ）は図２（ａ）のＹ−Ｙ線に沿った断面図、（ｂ）は図２（ａ）のＺ−Ｚ線に沿った断面図（天板設置状態）、（ｃ）は同上のキャビネット本体を構成している戸当り桟に対する幕板の取付状態を示す拡大断面図である。
【図４】（ａ）は同上の幕板を示す平面図、（ｂ）は同上の幕板を示す正面図、（ｃ）は同上の幕板を示す側面図、（ｄ）は（ｂ）のＸ−Ｘ線に沿った断面図、（ｅ）は（ｂ）のＹ−Ｙ線に沿った断面図である。
【図５】他の実施形態であるキッチンキャビネットを示す部分拡大断面図である。
【図６】（ａ）は他の実施形態であるキッチンキャビネットを組み込んだシステムキッチンを示す平面図、（ｂ）は同上のシステムキッチンを示す正面図である。
【図７】（ａ）は同上のキッチンキャビネットを構成しているキャビネット本体を示す平面図、（ｂ）は同上のキャビネット本体を示す正面図、（ｃ）は（ｂ）のＸ−Ｘ線に沿った断面図、（ｄ）は（ａ）のＹ−Ｙ線に沿った断面図である。
【図８】（ａ）〜（ｃ）はそれぞれ幕板の他の実施形態を示す断面図である。
【図９】幕板の他の実施形態を示す断面図である。
【図１０】従来のキッチンキャビネットを組み込んだシステムキッチンを示す部分正面図である。
【図１１】（ａ）は同上のキッチンキャビネットのキャビネット本体を構成している幕板を示す平面図、（ｂ）は同上の幕板を示す正面図、（ｃ）は同上の幕板を示す側面図である。
【図１２】（ａ）は同上のキャビネット本体を示す正面図、（ｂ）は（ａ）のＸ−Ｘ線に沿った断面図である。
【図１３】同上のキャビネット本体を構成している桟木に対する幕板の取付状態を示す拡大断面図である。
【発明を実施するための形態】
【００１５】
以下、実施の形態について図面を参照して説明する。図１（ａ）〜（ｃ）は、本発明のキッチンキャビネットを組み込んだシステムキッチンを示している。このシステムキッチン１は、同図に示すように、上面開口部を有する複数のキッチンキャビネット２、３、４と、これらのキッチンキャビネット２、３、４の上面開口部に固定設置される、シンクＳを有する天板５とを備えており、天板５にはガスコンロ６等の器具が装着されている。
【００１６】
シンクＳ部分を収容するキッチンキャビネット２は、同図に示すように、上面開口部及び前面開口部を有するキャビネット本体１０と、このキャビネット本体１０の前面開口部における上半部領域に差し込まれる引き出し２０と、キャビネット本体１０の前面開口部における下半部領域に差し込まれる蹴込み付き引き出し３０と、キャビネット本体１０の奥側下隅部の配管スペースＰＳを収納空間から区画する区画ユニット４０とから構成されており、シンクＳの下面には、ゴミ収納器等の排水ユニットＤＵが取り付けられ、この排水ユニットＤＵに接続されたフレキシブルパイプＦＰが区画ユニット４０を貫通して配管スペースＰＳ内において、設置床から立ち上がっている排水管ＤＰに接続されるようになっている。
【００１７】
このキッチンキャビネット２は、シンクＳの両側部と左右の側板１１、１１との間に狭い空間が形成されており、引き出し２０には、それぞれの空間を利用して、包丁差しＧ１やキッチンペーパーホルダＧ２等の背の高い物品を収容することができるようになっている。
【００１８】
前記キャビネット本体１０は、図２（ａ）〜（ｃ）及び図３（ａ）〜（ｃ）に示すように、左右一対の側板１１、１１と、この側板１１、１１を背面側で連結する背板１２と、側板１１、１１を下端部で連結する底板１３と、側板１１、１１を上部前面側で連結する戸当り桟１４と、背板１２の背面側における上端部及び下端部にそれぞれ固着された、背板１２の幅方向に延びる後桟１５、１５とを備えており、戸当り桟１４には、引き出し２０を開けたときに、シンクＳの正面部分を視認できないように、シンクＳの正面部分を隠蔽する金属製の幕板１６が取り付けられている。
【００１９】
前記幕板１６は、図４（ａ）〜（ｅ）に示すように、シンクＳの前面部分を隠蔽する正面板１６ａと、この正面板１６ａの全幅にわたって、その上端縁から後方に張り出す上端張出片１６ｂと、正面板１６ａの全幅にわたって、その下端縁から湾曲状態で後方に張り出す下端張出片１６ｃと、正面板１６ａの全高にわたって、その両側縁から後方にそれぞれ張り出す一対の側端張出片１６ｄ、１６ｄと、正面板１６ａの上部を、その両側部を残して、前方に切り起こした中間張出片１６ｅとを備えており、下端張出片１６ｃは、その先端部が上方に立ち上がっている。
【００２０】
幕板１６を構成している正面板１６ａには、中間張出片１６ｅを切り起こすことによって形成された開口の両外側部にねじ止め用の丸孔ｃｈがそれぞれ形成されていると共に、中間張出片１６ｅには複数のねじ止め用の長孔ｌｈが形成されており、図３（ｅ）に示すように、中間張出片１６ｅを戸当り桟１４の下端面に、正面板１６ａの上部を戸当り桟１４の後面にそれぞれ重ね合わせた状態で、幕板１６が戸当り桟１４にねじ止めされている。
【００２１】
以上のように、このキッチンキャビネット２は、幕板１６を構成している正面板１６ａを、その両側部を残して、前方または後方に切り起こした中間張出片１６ｅとを有しているので、従来のキッチンキャビネットに採用されている幕板のように、上端張出片、下端張出片及び側端張出片だけを備えている場合に比べて、幕板１６全体の剛性が大きくなり、正面からの力を受けても変形し難くなる。
【００２２】
また、シンクＳの形状によっては、図５に示すように、シンクＳの上端部が進入できるように、後面側の上側角部を切除した戸当り桟１４Ａを使用する場合があり、その場合は、戸当り桟１４Ａの強度が低下することになるが、中間張出片１６ｅを有している、剛性の大きい幕板１６を固着することにより、戸当り桟１４Ａの強度低下を補強することができるので、そういった戸当り桟１４Ａを使用する場合は、特に、有効である。
【００２３】
なお、上述した実施形態では、シンクＳの両側部と側板１１、１１との間に形成された左右の空間に背の高い物品等を収容するようになっているため、幕板１６を双方の側板１１に固定することができないが、例えば、図６（ａ）、（ｂ）に示すシステムキッチン１Ａのキッチンキャビネット２Ａのように、一方の側板１１とシンクＳとの間に形成される空間だけを背の高い物品等の収容空間として利用する場合は、図７（ａ）〜（ｄ）に示すように、一方の側端張出片１６ｄを対向する側板１１にねじ止めすることも可能であり、この場合は、正面板１６ａをねじ止めする必要はないので、正面板１６ａに形成した丸孔ｃｈに代えて、左右いずれの側板１１にもねじ止めすることができるように、一対の側端張出片１６ｄ、１６ｄの双方にねじ止め用の丸孔をそれぞれ形成しておけばよい。
【００２４】
また、上述した実施形態では、幕板１６の上端張出片１６ｂ及び下端張出片１６ｃを後方に張り出させているが、これに限定されるものではなく、例えば、図８（ａ）に示す幕板１６Ａのように、上端張出片１６ｂを前方に張り出させたり、同図（ｂ）に示す幕板１６Ｂのように、下端張出片１６ｃを前方に張り出させたり、同図（ｃ）に示す幕板１６Ｃように、上端張出片１６ｂ及び下端張出片１６ｃの双方を前方に張り出させることも可能である。
【００２５】
また、上述した実施形態では、幕板１６の中間張出片１６ｅを前方に張り出させているが、これに限定されるものではなく、例えば、図９に示す幕板１６Ｄのように、中間張出片１６ｅを後方に張り出させることも可能であり、その場合は、側端張出片１６ｄを正面板１６ａの全高にわたって連設することができないので、戸当り桟１４の下側に入り込む長さに設定し、中間張出片１６ｅを戸当り桟１４の下端面に、正面板１６ａの後面を戸当り桟１４の前面にそれぞれ重ね合わせた状態で、戸当り桟１４にねじ止めすればよい。
【００２６】
また、上述した実施形態では、正面板１６ａ及び中間張出片１６ｅの双方を戸当り桟１４にねじ止めしているが、これに限定されるものではなく、少なくとも、正面板１６ａ、上端張出片１６ｂ、中間張出片１６ｅのいずれかを戸当り桟１４にねじ止めすればよい。
【産業上の利用可能性】
【００２７】
本発明は、天板に取り付けられたシンク部分を収容するキッチンキャビネットに利用することができる。
【符号の説明】
【００２８】
１、１Ａ  システムキッチン
２、２Ａ、３、４  キッチンキャビネット
５  天板
６  ガスコンロ
１０  キャビネット本体
１１  側板
１２  背板
１３  底板
１４、１４Ａ  戸当り桟
１５  後桟
１６、１６Ａ、１６Ｂ、１６Ｃ、１６Ｄ  幕板
１６ａ  正面板
１６ｂ  上端張出片
１６ｃ  下端張出片
１６ｄ  側端張出片
１６ｅ  中間張出片
２０  引き出し
３０  蹴込み付き引き出し
４０  区画ユニット
ＤＵ  排水ユニット
ＤＰ  排水管
ＦＰ  フレキシブルパイプ
Ｇ１  包丁差し
Ｇ２  キッチンペーパーホルダ
ＰＳ  配管スペース
ｃｈ  丸孔
ｌｈ  長孔
Ｓ  シンク
【図１】
2014230624.tif 000003
【図２】
2014230624.tif 000004
【図３】
2014230624.tif 000005
【図４】
2014230624.tif 000006
【図５】
2014230624.tif 000007
【図６】
2014230624.tif 000008
【図７】
2014230624.tif 000009
【図８】
2014230624.tif 000010
【図９】
2014230624.tif 000011
【図１０】
2014230624.tif 000012
【図１１】
2014230624.tif 000013
【図１２】
2014230624.tif 000014
【図１３】
2014230624.tif 000015